(57)【特許請求の範囲】
【請求項１】
左鼻緒を模した第１のアクセントが付加されるとともにシューズの左つま先部分裏側迄覆う左カバーと、右鼻緒を模した第２のアクセントが付加されるとともにシューズの右つま先部分裏側迄覆う右カバーと、該左カバーと該右カバーとをシューズの前面で接合する第１のファスナーと、該左カバーと該右カバーとをシューズの後面で接合する第２のファスナーと、該左カバー及び該右カバーの下端部に連接されるとともに、つま先部分を除くシューズの側面下部を覆う環状のゴムリボンとを備えた和装シューズカバー。
【請求項２】
上記第１のアクセントと上記第２のアクセントとの接合点からつま先部分に渡って前坪を模した第３のアクセントが付加されるとともに、上記第１のファスナーは、該接合点迄設けられていることを特徴とする請求項１に記載の和装シューズカバー。
【請求項３】
上記第１のファスナーと上記第２のファスナーとは、一体のファスナーとして連結されていることを特徴とする請求項１又は請求項２に記載の和装シューズカバー。
【請求項４】
上記左カバーと上記右カバーとをシューズのかかと部分で橋落する固定ゴムが設けられていることを特徴とする請求項１ないし請求項３のいずれか１項に記載の和装シューズカバー。
【発明の詳細な説明】
【技術分野】
【０００１】
本発明は、和装シューズカバーに関する。
【背景技術】
【０００２】
体が不自由で車椅子等に頼らざるを得ない者には、和装は困難であった。この問題を解決するため、本発明者らは先に、左右の前身頃を予め縫着する一方、背面側の後見頃を左右に分割し、面ファスナー、線ファスナー、ベルト等で分離・連結自在に構成した簡易着付け式着物を提案している。（特許文献２参照）
【０００３】
この簡易着付け式着物により、体が不自由な者も簡単に和装を楽しむことができるようになった。
ところが、足が不自由・浮腫・下肢装具・義足などの様々な理由から、草履を履けない者が多くいる。このため、草履を履けない者は、これまでは着物を着るのを諦めたり、簡易着付け式着物を着ても足元が写真に写らないようにしていた。
【０００４】
本発明者らは、シューズカバーを和装に合うようにして活用するという着想を得た。
ところが、これまでシューズカバーは多数提案されているが、防災用としたり（例えば特許文献１参照）、防水用としたもの（例えば特許文献３参照）がほとんどであり、和装に合うようなシューズカバーを提供するというものはこれまで提案されていない。
従来のシューズカバーは参考にならないことから、本発明者らは、自力で和装シューズカバーの開発を進めた。
【先行技術文献】
【特許文献】
【０００５】
【特許文献１】特開２０１３−２５５７３８号公報
【特許文献２】特開２０１６−８４５６８号公報
【特許文献３】特開２０１９−１７９６６号公報
【発明の概要】
【発明が解決しようとする課題】
【０００６】
本発明は、従来の背景技術に鑑み、和装ならではの足元の美しさを損なわず簡単に装着でき、かつ足袋と草履を履いたように見える和装シューズカバーを提供することを課題とする。
【課題を解決するための手段】
【０００７】
本発明の課題を解決するための手段は、次のとおりである。
（１）左鼻緒を模した第１のアクセントが付加されるとともにシューズの左つま先部分裏側迄覆う左カバーと、右鼻緒を模した第２のアクセントが付加されるとともにシューズの右つま先部分裏側迄覆う右カバーと、該左カバーと該右カバーとをシューズの前面で接合する第１のファスナーと、該左カバーと該右カバーとをシューズの後面で接合する第２のファスナーと、該左カバー及び該右カバーの下端部に連接されるとともに、つま先部分を除くシューズの側面下部を覆う環状のゴムリボンとを備えた和装シューズカバー。
（２）上記第１のアクセントと上記第２のアクセントとの接合点からつま先部分に渡って前坪を模した第３のアクセントが付加されるとともに、上記第１のファスナーは、該接合点迄設けられていることを特徴とする上記（１）に記載の和装シューズカバー。
（３）上記第１のファスナーと上記第２のファスナーとは、一体のファスナーとして連結されていることを特徴とする上記（１）又は上記（２）に記載の和装シューズカバー。
（４）上記左カバーと上記右カバーとをシューズのかかと部分で橋落する固定ゴムが設けられていることを特徴とする上記（１）ないし上記（３）のいずれかに記載の和装シューズカバー。
【発明の効果】
【０００８】
本発明に係る和装シューズカバーをシューズの上から装着することにより、足袋と草履を履いているように見せることができる。このため、本発明に係る和装シューズカバーを装着することにより、草履を履けない者でも和装を楽しむことができる。
【図面の簡単な説明】
【０００９】
【図１】本発明に係る和装シューズカバーの斜視模式図である。
【図２】本発明に係る和装シューズカバーの底面模式図である。
【図３】本発明に係る和装シューズカバーの実例を上方から写した写真である。
【図４】本発明に係る和装シューズカバーの実例を横倒しにして写した写真である。
【発明を実施するための形態】
【００１０】
（本発明の概要）
本発明に係る和装シューズカバーは、シューズの先端に引っ掛け、シューズのかかとを出してシューズを左右から覆いファスナーで固定することにより、シューズに装着するものである。
【００１１】
本発明に係る和装シューズカバーは、義足等にも使用することが可能である。
このため、本発明における「シューズ」は、通常履く靴・サンダル・ブーツのみならず義足等も含めた広義のシューズを意味する。
【００１２】
（実施例）
本発明に係る和装シューズカバー１の一実施例の模式図を図１及び図２に示す。
図１は、和装シューズカバーの斜視模式図であり、図２は、和装シューズカバーの底面模式図である。
以下、図１及び図２を参照して、本発明に係る和装シューズカバー１について詳細に説明する。
【００１３】
本発明に係る和装シューズカバー１は、左カバー３と右カバー４とがシューズ２の前面で第１のファスナー７により、またシューズ２の後面で第２のファスナー８によりそれぞれ接合されている。
【００１４】
第１のファスナー７は、必要に応じてシューズ２の後面迄延長することができる。これにより、足首が変形して太くなっているような者や、義足のため足首が極端に細くなっているような者に対しても、前面から適切な位置で左右のカバー３、４を接合することができる。さらに、第１のファスナー７と第２のファスナー８とを連結して一体のファスナーとしてもよい。
【００１５】
左カバー３及び右カバー４の下端部には、つま先部分を除くシューズ２の側面下部を覆う環状のゴムリボン９が連接されている。
環状のゴムリボン９は、本発明に係る和装シューズカバーをシューズ２に確実に装着するとともに、草履としての側面を演出する働きがある。
【００１６】
左カバー３と右カバー４は、装着時に足袋を演出するもので、収縮性、速乾性、通気性のある白地の素材のものが好ましい。
左カバー３には、左鼻緒を模した紐等からなる第１のアクセント５が付加されている。なお、第１のアクセント５は、実際の左鼻緒であってもよい。
また、右カバー４には、右鼻緒を模した紐等からなる第２のアクセント６が付加されている。なお、第２のアクセント６は実際の右鼻緒であってもよい。
【００１７】
第１のアクセント５及び第２のアクセント６は、接合点１１で接合している。接合点１１からつま先部分に渡って、前坪を模した第３のアクセント１０が付加されている。
第３のアクセント１０は、前坪を模した紐等でもよいし、実際の前坪素材であってもよい。
【００１８】
第１のファスナー７は、シューズの前面で接合点１１近くまで伸びている。
なお、草履としての見た目は劣るが、第３のアクセント１０を省いて、第１のファスナー７を、接合点１１を超えてつま先部分まで延長することもできる。
この場合、第１のファスナー７がつま先まで延長されているため、和装シューズカバー１をより装着し易くなっている。
【００１９】
（固定ゴム）
固定ゴム１２は、左カバー３と右カバー４とをシューズのかかと部分で橋落している。
そして、固定ゴム１２は、左カバー３と右カバー４との開閉の負荷を調節している。すなわち、左右のカバーの開き具合のアジャスターの役割をしており、左右のカバーを開きすぎずに装着できる。
【００２０】
固定ゴム１２が左右のカバーの外側で橋落している場合には、指を固定ゴム１２の内側に入れ後ろから左右のバランスや形を整えることができる。固定ゴム１２は、第２のファスナー８の取っ手の保護も兼ねている。
また、固定ゴム１２を左右のカバーの内側で橋落させると、和装シューズカバーの見た目をすっきりさせることができる。
なお、固定ゴム１２は、適宜省略することもできる。
【００２１】
（和装シューズカバーの設計）
本発明では、左カバー３、第１のアクセント５、右カバー４、第２のアクセント６、第３のアクセント１０及び環状のゴムリボン９のそれぞれの形状、配色及び生地を、和装シューズカバーが足袋と草履を履いたように見えるように適宜選定して設計する。
第１のアクセント５、第２のアクセント６の素材として、鼻緒の素材を用いると、より草履を履いたように見える。
【００２２】
（実例）
図３は、本発明に係る和装シューズカバーの実例を上方から写した写真であり、図４は、本発明に係る和装シューズカバーの実例を横倒しにして写した写真である。
図３、図４の写真からも分かるように、正面の第１のファスナーは、第１及び第２のアクセントの接合点から上方に向けて設けられている。
この実例では、第１のファスナーと第２のファスナーとは、一体のファスナーとして連結されている。
【００２３】
つま先のシューズの引っ掛け部分にはファスナーがなく、左右のネットを縫い合わせ、鼻緒が立ち上がって見えるように中心の先から鼻緒を縫い付けている。
シューズカバー本体の上部分はネットとファスナーを縫い付けることにより、より足袋感を出している。
また、環状のゴムリボンは、草履としての側面を演出している。
【００２４】
（本発明の技術的範囲）
以上、本明細書に開示した実施例・実例は、本発明に係る和装シューズカバーの理解を容易にするために例示したものであって、本発明はこれに限定されるものではない。
すなわち、本発明は、特許請求の範囲を逸脱しない限り、和装シューズカバーを作製するに当たって、適宜の設計変更が可能であることは言うまでもないことである。
【符号の説明】
【００２５】
１  和装シューズカバー
２  シューズ
３  左カバー
４  右カバー
５  第１のアクセント
６  第２のアクセント
７  第１のファスナー
８  第２のファスナー
９  環状のゴムリボン
１０  第３のアクセント
１１  接合点
１２  固定ゴム
【要約】
【課題】  本発明は、和装ならではの足元の美しさを損なわず簡単に装着でき、かつ足袋と草履を履いたように見える和装シューズカバーを提供することを課題とする。
【解決手段】  和装シューズカバー１は、左鼻緒を模した第１のアクセント５が付加されるとともにシューズ２の左つま先部分裏側迄覆う左カバー３と、右鼻緒を模した第２のアクセント６が付加されるとともにシューズ２の右つま先部分裏側迄覆う右カバー４と、左カバー３と右カバー４とをシューズの前面で接合する第１のファスナー７と、左カバー３と右カバー４とをシューズの後面で接合する第２のファスナー８と、左カバー３及び右カバー４の下端部に連接されるとともに、つま先部分を除くシューズ２の側面下部を覆う環状のゴムリボン９とを備えている。
【選択図】    図１【図１】
0006808788.tif 000002
【図２】
0006808788.tif 000003
【図３】
0006808788.tif 000004
【図４】
0006808788.tif 000005